(57)【要約】【課題】携帯端末機に記憶された登録データのバックアップとリストアを、低コスト且つ確実に行うことができるシステムを提供する。【解決手段】オープン端末装置１は、タッチパネル２により携帯電話２０のデータリストア処理の実行が指示されたときに、携帯電話２０の自局電話番号（ｔｅｌ＿ｎｕｍ）と決済カード２５のカード番号（ｃａｒｄ＿ｎｕｍ）と関連付けられた登録データ（ｒｅｇ＿ｄａｔ）のダウンロードを要求するデータ（ｄｗ＿ｒｅｑ）をデータ保存サーバー４２に送信する。データ保存サーバー４２は、携帯電話２０の自局電話番号（ｔｅｌ＿ｎｕｍ）と決済カード２５のカード番号（ｃａｒｄ＿ｎｕｍ）と関連付けられた登録データ（ｒｅｇ＿ｄａｔ）を検索し、該登録データ（ｒｅｇ＿ｄａｔ）が発見されたときは、該登録データ（ｒｅｇ＿ｄａｔ）を含むバックアップデータ（ｂｋ＿ｄａｔ）をオープン端末装置１に送信する。【選択図】　図３
2004120346.tif 000002
【特許請求の範囲】
【請求項１】
ネットワークを介して通信を行うネットワーク通信手段と、固有の端末コードが記憶された携帯端末機との間で通信を行う携帯通信手段と、固有のカード番号が記憶された決済カードから該カード番号を入力可能なカードリーダと、利用者の操作によりデータを入力するデータ入力手段とを備えて、店舗若しくは公共の場に設置されたオープン端末装置により、前記携帯端末機に記憶された登録データのバックアップ処理とリストア処理とを行うシステムであって、
決済カードと携帯端末機とを所持した利用者が、前記カードリーダにより該決済カードのカード番号を入力して、該携帯端末機に記憶された登録データのバックアップを指示したときに、
前記オープン端末装置が、前記決済カードの有効性を確認する有効性確認サーバーに対して、前記カード番号が割当てられた決済カードの有効性の有無を問い合わせる確認要求データを前記ネットワーク通信手段を介して送信する第１の工程と、
前記オープン端末装置が、前記有効性確認サーバーから、前記カード番号が割当てられた決済カードが有効である旨を示す確認ＯＫデータを前記ネットワーク通信手段を介して受信したときに、前記携帯通信手段を介して前記携帯端末機から受信した該携帯端末機の登録データを、前記携帯通信手段を介して前記携帯端末機から受信した該携帯端末機の端末コード及び前記決済カードのカード番号と関連付けて、該携帯登録データを保存するデータ保存サーバーに前記ネットワーク通信手段を介してアップロードする第２の工程と、
前記データ保存サーバーが、前記ネットワークを介して前記オープン端末装置から受信した前記端末コード及び前記カード番号と関連付けられた前記登録データを保存する第３の工程とからなるデータバックアップ処理と、
決済カードと携帯端末機とを所持した利用者が、前記カードリーダにより該決済カードのカード番号を読み込ませて該携帯端末機に対する登録データのリストアを指示したときに、
前記オープン端末装置が、該携帯端末機から前記携帯通信手段を介して受信した該携帯端末機の端末コード又は利用者による前記データ入力手段の操作によって入力された端末コードと、該決済カードのカード番号とを前記ネットワーク通信手段を介して前記データ保存サーバーに送信し、該端末コード及び該カード番号と関連付けられた登録データのダウンロードを要求する第４の工程と、
前記データ保存サーバーが、前記オープン端末装置から受信した該端末コード及び該カード番号と関連付けられた登録データを検索し、該端末コード及び該カード番号と関連付けられた登録データが発見されたときは、該発見された登録データを前記オープン端末装置に送信する第５の工程と、
前記オープン端末装置が、前記データ保存サーバーから受信した登録データを、前記携帯通信手段を介して該携帯端末機に送信する第６の工程とからなるデータリストア処理とを実行することを特徴とする携帯端末機のデータ管理システム。
【請求項２】
前記データリストア処理の前記第５の工程において、端末コード及びカード番号と関連付けられた登録データが発見されなかったときに、前記データ保存サーバーは、該端末コードと該カード番号とのうちの少なくともいずれか一方を不正アクセス者の特定用データとして保存することを特徴とする請求項１記載の携帯端末装置のデータ管理システム。
【請求項３】
前記オープン端末装置は、該オープン端末装置の利用の対価として使用可能なチケットに記憶されたデータを入力するチケットリーダを備えて、前記データバックアップ処理又は前記データリストア処理の対価として、配布元を特定可能な配布元コードが記憶された前記チケットが使用されたときに、前記チケットリーダにより入力された該配布元コードを前記ネットワーク通信手段を介して、前記チケットの使用実績を管理するチケット管理サーバーに送信し、
該チケット管理サーバーは、前記オープン端末装置から受信した配布元コードに基づいて、前記チケットの使用実績を前記チケットの配布元ごとに集計した対価請求データを作成し、各配布元の端末装置に該配布元に対する対価請求データを送信することを特徴とする請求項１又は請求項２記載の携帯端末機のデータ管理システム。
【発明の詳細な説明】
【０００１】
【発明の属する技術分野】
本発明は、携帯端末機に記憶された登録データのバックアップ処理とリストア処理とを行う携帯端末機のデータ管理システムに関する。
【０００２】
【従来の技術】
今日、携帯電話には、電話帳データのみならず、電子メールのアドレス張データ、着信メロディ、待ち受け画面等の多種多様なデータ（以下、登録データという）の登録（保存）が可能である。そして、携帯電話の性能向上に伴ってデータメモリの記憶容量も増加し、例えば電話番号であれば数百件分を登録することができる。
【０００３】
そのため、携帯電話を紛失したときや携帯電話の故障によりメモリに記憶されていた登録データが消失したときには、利用者は、新たに購入した携帯電話や故障が修理された携帯電話に膨大な登録データを入力し直さなければならないという煩わしさがある。
【０００４】
そこで、携帯電話とパソコンを専用ケーブルで接続し、携帯電話とパソコン間で携帯電話の登録データの送受信を可能としたアプリケーション（例えば、特許文献１参照）が市販されている。かかるアプリケーションによれば、携帯電話に記憶された登録データをパソコンに吸い上げてパソコンのハードディスク等にバックアップすることがことが出来ると共に、パソコンのハードディスク等に記憶された登録データを新たに購入した携帯電話に転送して登録データをリストアすることができる。
【０００５】
また、携帯電話と接続して登録データ交換を行うフラッシュメモリを利用したキーホルダータイプの小型メモリ端末や、携帯電話同士を接続して登録データを転送するための接続ケーブルも市販されている。
【０００６】
しかし、上述した市販品を利用して携帯電話の登録データのバックアップやリストアを行うためには、最低でも数千円程度の購入コストが必要となる。また、携帯電話の機種交換を行ったときに、交換した機種の仕様が異なるものとなったときには、その仕様に対応した市販品を新たに購入しなければならない。さらに、携帯電話の登録データを保存したパソコンの記憶装置や小型メモリ端末の破損により、バックアップされた登録データが消失するおそれもある。
【０００７】
【特許文献１】
特開２０００−１１５３２９号公報
【０００８】
【発明が解決しようとする課題】
本発明は上記背景を鑑みてなされたものであり、携帯端末機に記憶された登録データのバックアップとリストアを、低コスト且つ確実に行うことができるシステムを提供することを目的とする。
【０００９】
【課題を解決するための手段】
本発明は、上記目的を達成するためになされたものであり、ネットワークを介して通信を行うネットワーク通信手段と、固有の端末コードが記憶された携帯端末機との間で通信を行う携帯通信手段と、固有のカード番号が記憶された決済カードから該カード番号を入力可能なカードリーダと、利用者の操作によりデータを入力するデータ入力手段とを備えて、店舗若しくは公共の場に設置されたオープン端末装置により、前記携帯端末機に記憶された登録データのバックアップ処理とリストア処理とを行うシステムに関する。
【００１０】
近年、コンビニエンスストア等の店内や駅構内等の公共の場に、ディスプレイやタッチパネル等のユーザーインターフェースを備えたオープン端末装置が設置されている。かかるオープン端末装置はネットワークを介して各種のサーバーと通信可能に接続され、該サーバーを介して、コンサートや映画チケットの発券、デジタルカメラのプリント等の種々のサービスを利用者に提供する。
【００１１】
かかるオープン端末装置においては、利用者がサービス享受の対価を支払うためにクレジットカードやデビットカード等の決済カードのカードリーダが備られている。また、携帯電話のコネクタと接続可能なケーブルを備え、利用者が該ケーブルを自身の携帯電話に接続することにより、携帯電話に着信メロディや待ち受け画面のデータを転送するサービスを行う機能を有するオープン端末装置も普及している。
【００１２】
そこで、このように携帯電話とのデータ通信機能を有するオープン端末装置を利用して、携帯電話に記憶された電話帳データ等の登録データをネットワークに接続されたデータ保管サーバーにアップロードして該個人利用データをバックアップし、携帯電話を紛失したときには、該データ保管サーバーに保管された自身の登録データを新たな携帯電話にダウンロードして登録データをリストアすることが考えられる。
【００１３】
そして、オープン端末装置を利用して携帯電話の登録データのバックアップとリストアを行った場合、利用者は、市販のデータバックアップ用アプリケーションや記憶媒体を購入する場合に比べて、低コストで登録データのバックアップとリストアを行うことができるようになると期待される。また、データ保管サーバーにより登録データをバックアップするときには、記憶装置の多重化等によりデータ保存の信頼性を高めることが一般的であるため、記憶媒体の故障により登録データが消失する可能性が低下することが期待される。
【００１４】
しかし、オープン端末装置は誰でも利用できるものであるため、携帯電話の登録データをデータ保管サーバーにアップロードして該登録データのバックアップを行った利用者以外の者により、データ保管サーバーに保管された該登録データが不正にダウンロードされることを阻止する必要がある。
【００１５】
そこで、本発明においては、先ず、決済カードと携帯端末機とを所持した利用者が、前記カードリーダにより該決済カードのカード番号を入力して、該携帯端末機に記憶された登録データのバックアップを指示したときに、前記オープン端末装置が、前記決済カードの有効性を確認する有効性確認サーバーに対して、前記カード番号が割当てられた決済カードの有効性の有無を問い合わせる確認要求データを前記ネットワーク通信手段を介して送信する第１の工程と、前記オープン端末装置が、前記有効性確認サーバーから、前記カード番号が割当てられた決済カードが有効である旨を示す確認ＯＫデータを前記ネットワーク通信手段を介して受信したときに、前記携帯通信手段を介して前記携帯端末機から受信した該携帯端末機の登録データを、前記携帯通信手段を介して前記携帯端末機から受信した該携帯端末機の端末コード及び前記決済カードのカード番号と関連付けて、該携帯登録データを保存するデータ保存サーバーに前記ネットワーク通信手段を介してアップロードする第２の工程と、前記データ保存サーバーが、前記ネットワークを介して前記オープン端末装置から受信した前記端末コード及び前記カード番号と関連付けられた前記登録データを記憶する第３の工程とからなるデータバックアップ処理を行うことを特徴とする。
【００１６】
かかるデータバック処理によれば、前記第１の工程により前記決済カードの有効性を確認し、前記第２の工程により、前記決済カードの有効性が確認されて利用者が特定されたときに、前記携帯端末機に記憶された登録データが該携帯端末機固有の端末コード及び該決済カード固有のカード番号と関連付けられてデータ保存サーバーに送信される。そして、前記第３の工程により、前記データ保存サーバーに送信された登録でデータは、前記端末コード及び前記カード番号と関連付けられて記憶される。
【００１７】
そして、次に、決済カードと携帯端末機とを所持した利用者が、前記カードリーダにより該決済カードのカード番号を読み込ませて該携帯端末機に対する登録データのリストアを指示したときに、前記オープン端末装置が、該携帯端末機から前記携帯通信手段を介して受信した該携帯端末機の端末コード又は利用者による前記データ入力手段の操作によって入力された端末コードと、該決済カードのカード番号とを前記ネットワーク通信手段を介して前記データ保存サーバーに送信し、該端末コード及び該カード番号と関連付けられた登録データのダウンロードを要求する第４の工程と、前記データ保存サーバーが、前記オープン端末装置から受信した該端末コード及び該カード番号と関連付けられた登録データを検索し、該端末コード及び該カード番号と関連付けられた登録データが発見されたときは、該発見された登録データを前記オープン端末装置に送信する第５の工程と、前記オープン端末装置が、前記データ保存サーバーから受信した登録データを、前記携帯通信手段を介して該携帯端末機に送信する第６の工程とからなるデータリストア処理とを実行することを特徴とする。
【００１８】
かかるデータリストア処理によれば、前記第４の工程により、登録データを携帯端末機にリストアしようとする利用者が所持した決済カードのカード番号と、該利用者が所持した携帯端末機の端末コード又は該利用者による前記データ入力手段の操作によって入力された端末コードとが、前記オープン端末装置から前記データ保存サーバーに送信される。そして、前記第５の工程により、前記データ保存サーバーにおいて、該端末コード及び該カード番号に関連付けられた登録データが保存されているときにのみ、該登録データがオープン端末装置にダウンロードされ、前記第６の工程により、ダウンロードされた該登録データがオープン端末装置から携帯端末機に送信される。
【００１９】
そのため、前記オープン端末装置から登録データをリストアするためには、先ず、利用者が該登録データのバックアップ処理を行ったときに使用した決済カードを所持していることが条件となる。そして、さらに、利用者が該バックアップ処理を行ったときに使用した携帯端末機に記憶されていた端末コードが記憶された携帯端末機を所持しているか、或いは利用者が該バックアップ処理を行ったときに使用した携帯端末機に記憶されていた端末コードを知っていることが条件となる。
【００２０】
そして、データリストア処理を行うことができるのは、これらの条件を満たした利用者（バックアップ処理を行った本人と想定される）に限定され、その他の者は、登録データをリストアすることはできない。したがって、登録データのバックアップ処理を行った本人以外の他人により、携帯端末機の登録データが盗用されることを確実に防止することができる。
【００２１】
なお、利用者がバックアップ処理を行ったときに使用した携帯端末機自体に登録データをリストアするときと、該携帯端末機の端末コードを承継して記憶した別個の携帯端末機に登録データをリストアするときは、前記携帯通信手段により該端末コードを受信すればよい。一方、利用者がバックアップ処理を行ったときに使用した携帯端末機とは別個の携帯端末機であって、端末コードを承継して記憶していない携帯端末機に登録データをリストアするときには、該利用者は、バックアップ処理を行ったときに使用した携帯端末機の端末コードを前記データ入力手段によって入力すればよい。
【００２２】
また、前記データリストア処理の前記第５の工程において、端末コード及びカード番号と関連付けられた登録データが発見されなかったときに、前記データ保存サーバーは、該端末コードと該カード番号とのうちの少なくともいずれか一方を不正アクセス者の特定用データとして保存することを特徴とする。
【００２３】
かかる本発明によれば、前記第５の工程において、携帯端末機の端末コード及び決済カードのカード番号と関連付けられた登録データが発見されなかったときは、前記データバックアップ処理を行った本人以外の者が、他人の登録データを盗用する目的をもって、自身が所持する携帯端末機や決済カードを使用してオープン端末装置にアクセスした可能性が高いと考えられる。そこで、この場合に、前記データ保管サーバーは、使用された携帯端末機の端末コードと決済カードのカード番号のうちの少なくともいずれか一方を不正アクセス者の特定用データとして保存する。
【００２４】
そして、これにより、保存した携帯端末機の端末コードを該携帯端末機の管理者に問い合わせることによって、また、保存した決済カードのカード番号を該決済カードの管理者に問い合わせることによって、不正アクセス者を特定することができる。このようにして、不正アクセス者を特定することにより、実際に不正アクセス者を取り締まることができる他、不正アクセス者が特定されることを予めオープン端末装置の利用者に認識させることによって、不正アクセスに対する抑止力が働くことが期待される。
【００２５】
また、前記オープン端末装置は、該オープン端末装置の利用の対価として使用可能なチケットに記憶されたデータを入力するチケットリーダを備えて、前記データバックアップ処理又は前記データリストア処理の対価として、配布元を特定可能な配布元コードが記憶された前記チケットが使用されたときに、前記チケットリーダにより入力された該配布元コードを前記ネットワーク通信手段を介して、前記チケットの使用実績を管理するチケット管理サーバーに送信し、該チケット管理サーバーは、前記オープン端末装置から受信した配布元コードに基づいて、前記チケットの使用実績を前記チケットの配布元ごとに集計した対価請求データを作成し、各配布元の端末装置に該配布元に対する対価請求データを送信することを特徴とする。
【００２６】
かかる本発明によれば、前記チケットの配布元は、配布した前記チケットのうち、実際に使用されたチケットの実績に基づいて作成される前記対価請求データに応じた費用を支払えばよい。そのため、例えば、携帯端末機の販売店で購入者へのサービスとして前記チケットを配布する場合に、販売店は、配布するチケットの代金を前もって支払う必要がなく、配布したチケットのうち実際に使用されたチケットに対する代金を支払えばよい。
【００２７】
これにより、販売店は、前記チケットの配布による購入者へのサービスを低コストで実施することができるため、前記チケットの配布が促進され、前記チケットを使用した前記オープン端末装置によるデータバック処理とデータリストア処理の利用を普及させる効果を得ることができる。
【００２８】
【発明の実施の形態】
本発明の実施の形態の一例について、図１〜図４を参照して説明する。図１はオープン端末装置の外観図及び携帯電話との接続図、図２は携帯電話のデータバックアップ処理の説明図、図３は携帯電話のデータリストア処理の説明図、図４はチケット管理データ及び不正アクセスのログデータを示した図である。
【００２９】
図１（ａ）を参照して、オープン端末装置１は、コンビニエンスストア等の店舗内や、駅構内等の公共の場に設置されたマルチメディア端末であり、ユーザーインターフェースであるタッチパネル付きディスプレイ２（本発明のデータ入力手段の機能を含む）、硬貨投入口３、紙幣投入口４、カードリーダライタ５（本発明のカードリーダに相当する）、チケットプリンター６、レシートプリンター７、フラッシュメモリリーダライタ８、ＭＤライタ９、及びデジタルプリンター１０を備えている。
【００３０】
オープン端末装置１は、ネットワークを介して各種のサーバーと接続され、利用者はタッチパネル付きディスプレイ２を操作して、様々なサービスを享受することができる。例えば、コンサートや映画のチケットの購入（この場合、チケットプリンター７からチケットが出力される）、ＭＤへの音楽データのダウンロード（この場合は、ＭＤをＭＤライタ９に挿入する）、デジタルカメラの画像データのプリント（この場合は、フラッシュメモリをフラッシュメモリリーダライタ８に挿入し、デジタルプリンター１０から画像プリントが出力される）等のサービスの享受が可能である。
【００３１】
また、オープン端末装置１には、携帯電話と接続するためのコネクタケーブル１２（１２ａ，１２ｂ）が備えられており、図１（ｂ）に示したように、利用者は携帯電話２０（本発明の携帯端末機に相当する）を該コネクタケーブル１２と接続することにより、着信メロディや待ち受け画面のデータを携帯電話２０にダウンロードすることができる。なお、本実施の形態のオープン端末装置１においては、携帯電話２０の仕様に対応するため、２種類（１２ａ，１２ｂ）のコネクタケーブル１２が用意されている。
【００３２】
そして、これらのサービスの提供に対する料金を現金で支払う場合は、利用者は硬貨投入口３と紙幣投入口４に現金を投入し、クレジットカードやデビットカード等の決済カード、或いはプリペイドカードやサービスチケットにより料金を支払う場合には、これらのカードやチケットをカードリーダライタ５に挿入して、料金の支払い処理を行う。
【００３３】
また、オープン端末装置１は、携帯電話２０に記憶された電話張データ、電子メールアドレスデータ、着信メロディデータ、待ち受け画面データ等の登録データのバックアップ処理とリストア処理とを行う機能を有している。
【００３４】
先ず、図２を参照して、オープン端末装置１により、携帯電話に記憶された登録データのバックアップ処理を行う手順について説明する。
【００３５】
オープン端末装置１は、ネットワーク３０を介して通信を行うネットワーク通信部３１（本発明のネットワーク通信手段に相当する）とコネクタケーブル１２を介して携帯電話２０と通信を行う携帯通信部３２を備えている。
【００３６】
そして、オープン端末装置１は、ネットワーク通信部３１により、ネットワーク３０を介して、携帯電話の登録データを保存するデータ保存サーバー４２、データバックアップ処理及びデータリストア処理の代金の支払いに使用できるチケットカード２６（本発明のチケットに相当する）の使用状況を管理するチケット管理サーバー４３との間でデータ通信を行う。また、オープン端末装置１は、ＣＡＦＩＳ４０を介して、有効性確認サーバー４１との間で決済カード２５の有効性を確認する処理を行う。
【００３７】
携帯電話２０のデータバックアップ処理を行う場合、利用者が決済カード２５を所持していることが前提となる。そして、利用者がタッチパネル付きディスプレイ２の選択メニューから、「携帯電話のデータバックアップ」を選択し、携帯電話２０をコネクタケーブル１２に接続して、決済カード２５をカードリーダライタ５に挿入すると、オープン端末装置１は、カードリーダライタ５により読み込んだカード番号（ｃａｒｄ＿ｎｕｍ）に対応した決済カード２５の有効性の確認を依頼する確認要請データ（ｃｅ＿ｒｅｑ）を、ネットワーク通信部３１により、ＮＥＴＷＯＲＫ３０及びＣＡＦＩＳ４０を介して有効性確認サーバー４１に送信する（本発明の第１の工程に相当する）。
【００３８】
そして、有効性確認サーバー４１から、決済カード２５が有効であることを通知する確認ＯＫデータ（ｃｅ＿ＯＫ）を受信したときは、オープン端末装置１は、携帯通信部３２により、携帯電話２０から自局電話番号（ｔｅｌ＿ｎｕｍ、本発明の端末コードに相当する）と登録データ（ｒｅｇ＿ｄａｔ）を受信する。そして、オープン端末装置１は、登録データ（ｒｅｇ＿ｄａｔ）を自局電話番号（ｔｅｌ＿ｎｕｍ）及び決済カード２５のカード番号（ｃａｒｄ＿ｎｕｍ）と関連付けて構成したバックアップデータ（ｂｋ＿ｄａｔ）を、ネットワーク通信部３１によりネットワーク３０を介してデータ保存サーバー４２に送信する（本発明の第２の工程に相当する）。
【００３９】
なお、有効性確認サーバー４１から、決済カード２５が無効であることを通知する確認ＮＧデータ（ｃｅ＿ＮＧ）を受信したときには、オープン端末装置１は、決済カード２５が使用不能であることをタッチパネル付きディスプレイ２に示し、上述した本発明の第２の工程に相当する処理は行わない。
【００４０】
オープン端末装置１からバックアップデータ（ｂｋ＿ｄａｔ）を受信すると、データ保存サーバー４２は、該バックアップデータ（ｂｋ＿ｄａｔ）を保存する。これにより、決済カード２５の有効性の確認によって利用者が特定された場合にのみ、携帯電話２０に記憶された登録データ（ｒｅｇ＿ｄａｔ）が、自局電話番号（ｔｅｌ＿ｎｕｍ）及び決済カード２５のカード番号（ｃａｒｄ＿ｎｕｍ）と関連付けられて保存される（本発明の第３の工程に相当する）。
【００４１】
なお、データバックアップ処理に対する料金の支払いが、携帯電話の販売店により配布されるチケットカード２６により行われたときには、使用されたチケットカード２６に固有に割付けられて記憶されたチケット番号（ｃｋｔ＿ｎｕｍ）が、チケットカード２６の使用実績を管理するチケット管理サーバー４３に送信される。
【００４２】
ここで、チケットカード２６には、図４（ａ）に示したように、カードの偽造を防止するためにランダムに生成した固有のチケット番号が割当てられて記憶されている。そして、チケット管理サーバー４３は、チケット番号とチケットカードを配布した店舗とチケットカードの利用回数を関連付けて記憶しており、予め定められたタイミングで、店舗ごとにチケットカードの使用回数を集計する。
【００４３】
なお、図４（ａ）に示した例では、チケットカード２６のチケット番号とチケットカードを配布した店舗とチケットカードの利用回数を関連付けて記憶したが、チケットカードの利用期間等と関連付けて記憶してもよい。
【００４４】
図４（ａ）の例では、店舗Ａに配布されたチケットカード（カードＮｏ．９３５６、６９９９）の使用回数は「４」、店舗Ｂに配布されたチケットカード（カードＮｏ．７６５０，３２３４，１０８９）の使用回数は「１」、店舗Ｃに配布されたチケットカード（カードＮｏ．４８１２，２５４７）の使用回数は「３」と集計される。
【００４５】
そして、チケット管理サーバー４３は、集計したチケットカードの使用回数に応じて、各店舗ごとにデータバックアップ処理に対する費用の請求データ（ｂｉｌｌ＿Ａ，ｂｉｌｌ＿Ｂ，・・・）を送信する。
【００４６】
この場合、各店舗においては、チケットカードの配布時にはチケットカードの使用対価費用を一切負担する必要がなく、配布後に実際に使用されたチケットカードの費用のみを負担すればよい。そのため、各店舗は、オープン端末装置１による携帯電話の登録データのバックアップ及びリストア処理のサービスを携帯電話の購入者等に無償で提供するサービスを実施するときに、予めプリペイド式のカードを購入して携帯電話の購入者等に配布するよりも、低コストで該サービスを実施することができる。
【００４７】
そして、これにより、各店舗におけるチケットカード２６の頒布が促進され、オープン端末装置１による携帯電話２０のデータバックアップ処理及びデータリストア処理の利用を普及させることができる。
【００４８】
次に、図３を参照して、オープン端末装置１により携帯電話２０の登録データのリストア処理を行う場合の手順について説明する。
【００４９】
利用者が、データバック処理を行ったときに使用した携帯電話２０又は機種交換等により自局電話番号（ｔｅｌ＿ｎｕｍ）を承継して記憶した別個の携帯電話２０を所持しているときは、該利用者は、タッチパネル付きディスプレイ２の選択メニューから、「携帯電話のデータリストア」を選択し、携帯電話２０をコネクタケーブル１２に接続して、決済カード２５をカードリーダライタ５に挿入する。これにより、オープン端末装置１は、携帯電話２０の自局電話番号（ｔｅｌ＿ｎｕｍ）を携帯通信部３２を記して受信すると共に、決済カード２５のカード番号（ｃａｒｄ＿ｎｕｍ）をカードリーダライタ５を介して入力する。
【００５０】
一方、利用者が、データバック処理を行ったときに使用した携帯電話２０を所持しておらず、データバック処理時とは別の自局電話番号（ｔｅｌ＿ｎｕｍ）を記憶した携帯電話２０に対して、登録データのリストア処理を行うときには、該利用者は、タッチパネル付きディスプレイ２を操作して、データバック処理を行ったときに使用した携帯電話２０の自局電話番号（ｔｅｌ＿ｎｕｍ）を入力する。
【００５１】
そして、オープン端末装置１は、自局電話番号（ｔｅｌ＿ｎｕｍ）とカード番号（ｃａｒｄ＿ｎｕｍ）とに関連付けられた登録データ（ｒｅｇ＿ｄａｔ）のダウンロードを要求するデータ（ｄｗ＿ｒｅｑ）を、ネットワーク通信部３１によりネットワーク３０を介してデータ保存サーバー４２に送信する（本発明の第４の工程に相当する）。
【００５２】
データ保存サーバー４２は、個人利用データ（ｒｅｇ＿ｄａｔ）のダウンロードを要求するデータ（ｄｗ＿ｒｅｑ）を受信すると、該データ（ｄｗ＿ｒｅｑ）により指定された自局電話番号（ｔｅｌ＿ｎｕｍ）とカード番号（ｃａｒｄ＿ｎｕｍ）とに関連付けられて保存された登録データ（ｒｅｇ＿ｄａｔ）を検索する。そして、該登録データ（ｒｅｇ＿ｄａｔ）が発見されたときは、該登録データ（ｒｅｇ＿ｄａｔ）を含むバックアップデータ（ｂｋ＿ｄａｔ）を、ネットワーク３０を介してオープン端末装置１に送信する（本発明の第５の工程に相当する）。
【００５３】
一方、該登録データ（ｒｅｇ＿ｄａｔ）が発見されなかったときには、データ保存サーバー４２は、該登録データ（ｔｅｌ＿ｄａｔａ）が発見されなかった旨を通知するデータ（ｂｋ＿ＮＧ）をネットワーク３０を介してオープン端末装置１に送信する。
【００５４】
オープン端末装置１は、データ保存サーバー４２からバックアップデータ（ｂｋ＿ｄａｔ）を受信したときは、該バックアップデータ（ｂｋ＿ｄａｔ）から抽出した登録データ（ｒｅｇ＿ｄａｔ）を、携帯通信部３２を介して携帯電話２０に送信して、登録データ（ｒｅｇ＿ｄａｔ）のリストア処理を行う（本発明の第６の工程に相当する）。
【００５５】
一方、データ保存サーバー４２から登録データが発見されなかった旨を通知するデータ（ｂｋ＿ｄａｔ）を受信したときには、オープン端末装置１は、タッチパネル付きディスプレイ２に「バックアップデータは確認できません」というメッセージを表示する。
【００５６】
また、このように、登録データ（ｒｅｇ＿ｄａｔ）が発見されなかった場合、バックアップ処理を行った利用者と異なる利用者が自身の決済カードや携帯電話を用いて他人のバックアップデータを不正にダウンロードしようとした可能性が高い。
【００５７】
そこで、この場合には、データ保存サーバー４２は、図４（ｂ）に示したように、不正アクセスに使用された決済カードの番号（ｃａｒｄ＿ｎｕｍ）及び携帯電話の自局電話番号（ｔｅｌ＿ｎｕｍ）のデータのログデータを保存する。これにより、不正アクセスを行った者を、決済カードの番号を該決済カードの管理者に問い合わせることにより、また、携帯電話の自局番号を携帯電話の管理者に問い合わせることにより、特定することができる。また、このように不正アクセスのログを保存することを予め利用者に認識させておくことにより、不正アクセスに対する抑止効果を得ることができる。
【００５８】
なお、本実施の形態では、本発明の携帯電話の端末コードとして自局電話番号を用いたが、携帯電話のメールアドレス等、各携帯電話を個別に識別し得るデータであれば本発明の端末コードとして使用することができる。
【００５９】
また、本実施の形態では、チケットカード２６を携帯電話の販売店で配布する例を示したが、この他に、チケットカード２６を書籍に閉じ込んで配布してもよく、或いは、携帯電話の販売店以外の店舗での配布、種々の商品やサービスに付随した配布、例えば保険外交員などの販売促進員による配布等を行ってもよい。このように、様々なルートを利用してチケットカード２６を配布することにより、オープン端末装置１を利用した携帯電話のデータバック処理とデータリストア処理の普及をより一層促進することができる。チケットカードの仕様としては、磁気カード、ＩＣカード、バーコード付カード等、カードリーダライタ８により入力可能なデータを備えたものであればよい。
【００６０】
また、本実施の形態では、ケーブルコネクタ１２によりオープン端末装置１と携帯電話２０を接続してデータ通信を行う例を示したが、オープン端末装置１と携帯電話２０が無線通信機能を有する場合には、無線によりデータ通信を行うようにしてもよい。
【００６１】
また、本実施の形態では、本発明の携帯端末機として携帯電話を示したが、ＰＤＡやＰａｌｍ端末等の他の種類の携帯端末機に対しても本発明の適用が可能である。
【図面の簡単な説明】
【図１】オープン端末装置の外観図及び携帯電話との接続図。
【図２】携帯電話のデータバックアップ処理の説明図。
【図３】携帯電話のデータリストア処理の説明図。
【図４】チケット管理データ及び不正アクセスのログデータの例を示した図。
【符号の説明】
１…オープン端末装置、２…タッチパネル付き液晶パネル、５…カードリーダライタ、２０…携帯電話、２５…決済カード、２６…チケットカード、３１…ネットワーク通信部、３２…携帯通信部、４１…有効性確認サーバー、４２…データ保存サーバー、４３…チケット管理サーバー
【図１】
2004120346.tif 000003
【図２】
2004120346.tif 000004
【図３】
2004120346.tif 000005
【図４】
2004120346.tif 000006